(57)【要約】  【課題】応答できない状態にある無線電話端末に対する呼が着信した場合に、この無線電話端末の状態をより詳細に呼の発信元に知らせることができる技術を提供する。  【解決手段】主装置１は、無線ＩＰ電話端末４を宛先とする着信があった場合に無線ＩＰ電話端末４が応答できない状態ならば、自動応答し、無線ＩＰ電話端末４のプレゼンスを知らせるトーキーを送信する。ここで、無線ＩＰ電話端末４のプレゼンス情報が登録されている場合、このプレゼンス情報に含まれる優先度が「優先する」ならば、このプレゼンス情報に対応するトーキーを送信し、「優先しない」ならば、無線ＩＰ電話端末４が圏内のときは、このプレゼンス情報に対応するトーキーを送信し、無線ＩＰ電話端末４が圏外のときは圏外トーキーを送信する。一方、無線ＩＰ電話端末４のプレゼンス情報が登録されていない場合は、無線ＩＰ電話端末４が圏外のときに圏外トーキーを送信する。【選択図】図１
2011003942.tif 000002
【特許請求の範囲】
【請求項１】
配下の無線電話端末各々に対する呼制御を処理する主装置であって、
前記配下の無線電話端末毎に、当該無線電話端末が圏内かそれとも圏外かを監視する端末監視手段と、
前記配下の無線電話端末毎に、当該無線電話端末のプレゼンスの指定および前記端末監視手段の監視結果に対する当該プレゼンスの優先度を含むプレゼンス情報を記憶するプレゼンス情報記憶手段と、
前記配下の無線電話端末各々から、前記プレゼンス情報を伴うプレゼンス情報登録要求、あるいはプレゼンス情報削除要求を受け付ける要求受付手段と、
前記要求受付手段が、前記プレゼンス情報を伴うプレゼンス情報登録要求を受け付けた場合に、当該プレゼンス情報を、当該プレゼンス情報登録要求の送信元に対応付けて前記プレゼンス情報記憶手段に記憶し、前記要求受付手段が前記プレゼンス情報削除要求を受け付けた場合に、当該プレゼンス情報削除要求の送信元に対応付けられて前記プレゼンス情報記憶手段に記憶されている前記プレゼンス情報を削除する記憶制御手段と、
圏外を含む、予め設定されたプレゼンス毎に、当該プレゼンスを知らせるトーキーを記憶するトーキー記憶手段と、
前記配下の無線電話端末を宛先とする呼の着信に応答して、前記トーキー記憶手段に記憶されているトーキーを当該呼の発信元に送信する自動応答手段と、を有し、
前記自動応答手段は、
前記呼の宛先に対応付けられて前記プレゼンス情報記憶手段に前記プレゼンス情報が記憶されており、かつ当該プレゼンス情報に含まれている優先度が、当該プレゼンス情報で指定されたプレゼンスを優先させることを示している場合に、当該呼の着信に応答して、当該プレゼンス情報で指定されているプレゼンスに対応するトーキーを前記トーキー記憶手段から読み出して送信し、
前記呼の宛先に対応付けられて前記プレゼンス情報記憶手段に前記プレゼンス情報が記憶されており、かつ当該プレゼンス情報に含まれている優先度が、当該プレゼンス情報で指定するプレゼンスを優先しないことを示している場合に、当該呼の着信に応答して、前記端末監視手段による前記呼の宛先の監視結果が圏内ならば、当該プレゼンス情報で指定されているプレゼンスに対応するトーキーを、当該監視結果が圏外ならば、前記圏外であることを示すトーキーを、前記トーキー記憶手段から読み出して送信し、
前記呼の宛先に対応付けられて前記プレゼンス情報記憶手段に前記プレゼンス情報が記憶されておらず、かつ前記端末監視手段による前記呼の宛先の監視結果が圏外である場合に、当該呼の着信に応答して、前記圏外であることを示すトーキーを前記トーキー記憶手段から読み出して送信する
ことを特徴とする主装置。
【請求項２】
請求項１に記載の主装置であって、
前記プレゼンス情報は、終了時刻を含んでおり、
前記記憶制御手段は、
到来もしくは経過した終了時刻を含む前記プレゼンス情報を前記プレゼンス情報記憶手段から削除する
ことを特徴とする主装置。
【請求項３】
請求項１または２に記載の主装置であって、
音声メッセージを記憶する音声メッセージ記憶手段をさらに有し、
前記要求受付手段は、
前記プレゼンス情報登録要求に対応して前記音声メッセージを受付可能であり、
前記記憶制御手段は、
前記要求受付手段が前記プレゼンス情報登録要求に対応して前記音声メッセージを受け付けた場合に、当該プレゼンス情報登録要求の送信元に対応付けて当該音声メッセージを前記音声メッセージ記憶手段に記憶し、前記要求受付手段が前記プレゼンス情報削除要求を受け付けた場合に、当該プレゼンス情報削除要求の送信元に対応付けられて前記音声メッセージ記憶手段に前記音声メッセージが記憶されているならば、当該音声メッセージを前記音声メッセージ記憶手段から削除し、
前記自動応答手段は、
前記呼の宛先に対応付けられて前記プレゼンス情報記憶手段に記憶されている前記プレゼンス情報で指定されているプレゼンスに対応するトーキーを前記トーキー記憶手段から読み出して送信する場合に、当該呼の宛先に対応付けられて前記音声メッセージ記憶手段に前記音声メッセージが記憶されているならば、当該プレゼンスに対応するトーキーの代わりに、当該音声メッセージを送信する
ことを特徴とする主装置。
【請求項４】
請求項１ないし３のいずれか一項に記載の主装置と、前記主装置配下の無線電話端末各々のスケジュールを管理するスケジュール管理装置と、を有する電話システムであって、
前記スケジュール管理装置は、
前記主装置配下の無線電話端末各々について、計画されているイベント毎に、当該イベントの開始・終了時刻、当該イベントにおける当該無線電話端末のプレゼンスの指定、および当該プレゼンスの優先度を含むイベント情報を記憶するイベント情報記憶手段と、
前記開始時刻が到来または経過したイベント情報を前記イベント情報記憶手段から読み出して、当該イベント情報の対象となる前記無線電話端末の識別情報とともに、前記主装置に送信するイベント情報送信手段と、を有し、
前記主装置は、
前記スケジュール管理装置から、前記開始時刻が到来または経過したイベント情報を、当該イベント情報の対象となる前記無線電話端末の識別情報とともに取得するイベント情報取得手段をさらに有し、
前記記憶制御手段は、
前記イベント情報取得手段が取得した前記イベント情報に含まれているイベントの終了時刻、プレゼンスの指定、および当該プレゼンスの優先度を含む前記プレゼンス情報を、当該イベント情報とともに取得した識別情報により特定される前記無線電話端末に対応付けて前記プレゼンス情報記憶手段に記憶する
ことを特徴とする電話システム。
【請求項５】
無線電話端末を宛先とする呼の発信元に、当該無線電話端末のプレゼンスを通知する無線電話端末のプレゼンス通知方法であって、
前記無線電話端末を配下とする主装置が、
前記無線電話端末から、当該無線電話端末のプレゼンスの指定および当該プレゼンスの優先度を含むプレゼンス情報を伴うプレゼンス情報登録要求を受け付けた場合に、当該プレゼンス情報を当該無線電話端末に対応付けて登録し、
前記無線電話端末から、プレゼンス情報削除要求を受け付けた場合に、当該無線電話端末に対応付けられて登録されている前記プレゼンス情報を削除し、
前記無線電話端末を宛先とする呼の着信があった場合に、
当該無線電話端末に対応付けられて前記プレゼンス情報が登録されており、かつ当該プレゼンス情報に含まれている優先度が、当該プレゼンス情報で指定されたプレゼンスを優先させることを示しているならば、当該呼の着信に応答して、当該プレゼンス情報で指定されているプレゼンスに対応するトーキーを当該呼の発信元に送信し、
当該無線電話端末に対応付けられて前記プレゼンス情報が登録されており、かつ当該プレゼンス情報に含まれている優先度が、当該プレゼンス情報で指定されたプレゼンスを優先しないことを示しているならば、当該呼の着信に応答して、当該無線電話端末が圏内ならば、当該プレゼンス情報で指定されているプレゼンスに対応するトーキーを当該呼の発信元に送信する一方、当該無線電話端末が圏外ならば、圏外であることを示すトーキーを当該呼の発信元に送信し、
当該無線電話端末に対応付けられて前記プレゼンス情報が登録されておらず、かつ当該無線電話端末が圏外であるならば、当該呼の着信に応答して、圏外であることを示すトーキーを当該呼の発信元に送信する
ことを特徴とする無線電話端末のプレゼンス通知方法。
【発明の詳細な説明】
【技術分野】
【０００１】
本発明は、主装置に関し、特に、配下の無線電話端末を宛先とする呼の発信元に、この無線電話端末のプレゼンスを通知する技術に関する。
【背景技術】
【０００２】
従来より、配下の電話端末各々のプレゼンス（在席か不在か）を管理し、不在の電話端末を宛先とする呼が着信した場合に、この呼の発信元に不在トーキーを送信する、いわゆるプレゼンス機能を備えた主装置が知られている。例えば、特許文献１には、呼の発信元が取次ぎを要求する通話相手が不在であっても、呼の発信元を必要以上に待たせることなく通話相手の状況を知らせることを可能とする構内交換機が開示されている。
【先行技術文献】
【特許文献】
【０００３】
【特許文献１】特開２０００−９２２０８号公報
【発明の概要】
【発明が解決しようとする課題】
【０００４】
ところで、ＰＨＳ等の無線電話端末は、通常、ユーザが常時携帯するため、ユーザが在席か不在かという概念がない。このため、無線電話端末を収容する、プレゼンス機能を備えた主装置は、配下の無線電話端末のプレゼンスを圏内か圏外かで管理しており、圏外の無線電話端末を宛先とする呼が着信すると、この呼の発信元に圏外トーキーを送信する。
【０００５】
しかし、例えば会議中など、圏内でもユーザが電話に出られない場合がある。また、出張などの理由により圏外の場合に、圏外トーキーよりもむしろ、ユーザが出張中であることを呼の発信元に通知したいこともある。従来のプレゼンス機能を備えた主装置は、このような場合を考慮しておらず、利便性が悪い。
【０００６】
本発明は上記事情に鑑みてなされたものであり、本発明の目的は、応答できない状態にある無線電話端末に対する呼が着信した場合に、この無線電話端末の状態をより詳細に呼の発信元に知らせることができる技術を提供することにある。
【課題を解決するための手段】
【０００７】
上記課題を解決するために、本発明では、主装置が、配下の無線電話端末からプレゼンス情報の登録要求および削除要求を受け付け可能とする。そして、主装置は、プレゼンス情報の登録要求を受け付けたならば、登録要求送信元の無線電話端末に対応付けてこのプレゼンス情報を登録し、削除要求を受け付けたならば、削除要求送信元の無線電話端末に対応付けられて登録されているプレゼンス情報を削除する。
【０００８】
また、主装置は、配下の無線電話端末を宛先とする呼の着信があった場合に、この電話端末が応答できない状態にあるならば、呼の着信に応答して、この無線電話端末の詳細な状態を知らせるトーキーを呼の発信元に送信する。
【０００９】
具体的には、この無線電話端末に対応付するプレゼンス情報が登録されており、かつこのプレゼンス情報に含まれている優先度が、このプレゼンス情報で指定されたプレゼンスを優先させることを示している場合に、このプレゼンス情報で指定されているプレゼンスに対応するトーキーを送信する。また、この無線電話端末に対応するプレゼンス情報が登録されており、かつこのプレゼンス情報に含まれている優先度が、このプレゼンス情報で指定されたプレゼンスを優先しないことを示している場合に、この無線電話端末が圏内ならば、このプレゼンス情報で指定されたプレゼンスに対応するトーキーを送信し、この無線電話端末が圏外ならば、圏外であることを示すトーキーを送信する。また、この無線電話端末に対応するプレゼンス情報が登録されておらず、かつこの無線電話端末が圏外の場合に、圏外であることを示すトーキーを送信する。
【００１０】
例えば、本発明の主装置は、配下の無線電話端末各々に対する呼制御を処理する主装置であって、
前記配下の無線電話端末毎に、当該無線電話端末が圏内かそれとも圏外かを監視する端末監視手段と、
前記配下の無線電話端末毎に、当該無線電話端末のプレゼンスの指定および前記端末監視手段の監視結果に対する当該プレゼンスの優先度を含むプレゼンス情報を記憶するプレゼンス情報記憶手段と、
前記配下の無線電話端末各々から、前記プレゼンス情報を伴うプレゼンス情報登録要求、あるいはプレゼンス情報削除要求を受け付ける要求受付手段と、
前記要求受付手段が、前記プレゼンス情報を伴う前記プレゼンス情報登録要求を受け付けた場合に、当該プレゼンス情報を、当該プレゼンス情報登録要求の送信元に対応付けて前記プレゼンス情報記憶手段に記憶し、前記要求受付手段が前記プレゼンス情報削除要求を受け付けた場合に、当該プレゼンス情報削除要求の送信元に対応付けられて前記プレゼンス情報記憶手段に記憶されている前記プレゼンス情報を削除する記憶制御手段と、
圏外を含む、予め設定されたプレゼンス毎に、当該プレゼンスを知らせるトーキーを記憶するトーキー記憶手段と、
前記配下の無線電話端末を宛先とする呼の着信に応答して、前記トーキー記憶手段に記憶されているトーキーを当該呼の発信元に送信する自動応答手段と、を有し、
前記自動応答手段は、
前記呼の宛先に対応付けられて前記プレゼンス情報記憶手段に前記プレゼンス情報が記憶されており、かつ当該プレゼンス情報に含まれている優先度が、当該プレゼンス情報で指定されたプレゼンスを優先させることを示している場合に、当該呼の着信に応答して、当該プレゼンス情報で指定されているプレゼンスに対応するトーキーを前記トーキー記憶手段から読み出して送信し、
前記呼の宛先に対応付けられて前記プレゼンス情報記憶手段に前記プレゼンス情報が記憶されており、かつ当該プレゼンス情報に含まれている優先度が、当該プレゼンス情報で指定されたプレゼンスを優先しないことを示している場合に、当該呼の着信に応答して、前記端末監視手段による前記呼の宛先の監視結果が圏内ならば、当該プレゼンス情報で指定されているプレゼンスに対応するトーキーを、当該監視結果が圏外ならば、前記圏外であることを示すトーキーを、前記トーキー記憶手段から読み出して送信し、
前記呼の宛先に対応付けられて前記プレゼンス情報記憶手段に前記プレゼンス情報が記憶されておらず、かつ前記端末監視手段による前記呼の宛先の監視結果が圏外である場合に、当該呼の着信に応答して、前記圏外であることを示すトーキーを前記トーキー記憶手段から読み出して送信する。
【発明の効果】
【００１１】
本発明によれば、応答できない状態にある無線電話端末に対する呼が着信した場合に、この無線電話端末の状態をより詳細に呼の発信元に知らせることができる。
【図面の簡単な説明】
【００１２】
【図１】図１は、本発明の一実施の形態に係るＩＰ電話システムの概略図である。
【図２】図２は、主装置１の概略構成図である。
【図３】図３（Ａ）は、トーキー記憶部１３の登録内容例を模式的に表した図であり、図３（Ｂ）は、音声メッセージ記憶部１４の登録内容例を模式的に表した図である。
【図４】図４（Ａ）は、圏内・圏外状態記憶部１５の登録内容例を模式的に表した図であり、図４（Ｂ）は、プレゼンス情報記憶部１６の登録内容例を模式的に表した図である。
【図５】図５は、図２に示す主装置１の圏内・圏外状態監視処理を説明するためのフロー図である。
【図６】図６は、図２に示す主装置１のイベント情報取得処理を説明するためのフロー図である。
【図７】図７は、図２に示す主装置１のプレゼンス情報自動削除処理を説明するためのフロー図である。
【図８】図８は、図２に示す主装置１の発信処理を説明するためのフロー図である。
【図９】図９は、図２に示す主装置１の着信処理を説明するためのフロー図である。
【図１０】図１０は、スケジュール管理装置２の概略構成図である。
【図１１】図１１は、スケジュール情報記憶部２２の登録内容例を模式的に表した図である。
【図１２】図１２は、図１０に示すスケジュール管理装置２の動作を説明するためのフロー図である。
【図１３】図１３（Ａ）は、プレゼンス情報を登録する場合のＩＰ電話システムの動作を説明するためのシーケンス図であり、図１３（Ｂ）は、プレゼンス情報を削除する場合のＩＰ電話システムの動作を説明するためのシーケンス図である。
【図１４】図１４（Ａ）は、プレゼンス情報を自動削除する場合のＩＰ電話システムの動作を説明するためのシーケンス図であり、図１４（Ｂ）は、イベント情報に基づいてプレゼンス情報を更新する場合のＩＰ電話システムの動作を説明するためのシーケンス図であり、図１４（Ｃ）は、各無線ＩＰ電話端末４の圏内・圏外状態を確認する場合のＩＰ電話システムの動作を説明するためのシーケンス図である。
【図１５】図１５（Ａ）は、外線からの着信に対して自動応答する場合のＩＰ電話システムの動作を説明するためのシーケンス図であり、図１５（Ｂ）は、スケジュール情報を登録する場合のＩＰ電話システムの動作を説明するためのシーケンス図である。
【発明を実施するための形態】
【００１３】
以下、本発明の実施の形態について説明する。
【００１４】
図１は、本発明の一実施の形態に係るＩＰ電話システムの概略図である。
【００１５】
図示するように、本実施の形態に係るＩＰ電話システムは、ソフトフォン等のＩＰ電話端末３と、Ｗｉ−Ｆｉフォン等の無線ＩＰ電話端末４と、ＩＰ電話端末３および無線ＩＰ電話端末４の呼制御を処理する主装置１と、ＩＰ電話端末３および無線ＩＰ電話端末４のスケジュールを管理するスケジュール管理装置２と、主装置１、スケジュール管理装置２およびＩＰ電話端末３を相互接続するＬＡＮ７と、無線ＩＰ電話端末４をＬＡＮ７に接続する無線ＡＰ（アクセスポイント）５と、ＬＡＮ７をＷＡＮ８に接続するＧＷ（ゲートウェイ）６と、を有する。なお、ここでは、ＩＰ電話端末３および無線ＩＰ電話端末４をそれぞれ複数台示しているが、本実施の形態に係るＩＰ電話システムには無線ＩＰ電話端末４が少なくとも一台あればよい。
【００１６】
まず、主装置１の詳細を説明する。
【００１７】
図２は、主装置１の概略構成図である。
【００１８】
図示するように、主装置１は、ネットワークＩＦ部１１と、局データ記憶部１２と、トーキー記憶部１３と、音声メッセージ記憶部１４と、圏内・圏外状態記憶部１５と、プレゼンス情報記憶部１６と、呼制御部１７と、自動応答部１８と、プレゼンス管理部１９と、を有する。
【００１９】
ネットワークＩＦ部１１は、ＬＡＮ７を介して、スケジュール管理装置２、ＩＰ電話端末３、無線ＩＰ電話端末４等のＩＰ端末に接続するためのインターフェースであり、トランスポート層以下の各層のプロトコル（ＴＣＰ（Ｔｒａｎｓｍｉｓｓｉｏｎ  Ｃｏｎｔｒｏｌ  Ｐｒｏｔｏｃｏｌ）、ＵＤＰ（Ｕｓｅｒ  Ｄａｔａｇｒａｍ  Ｐｒｏｔｏｃｏｌ）、ＩＰ、イーサネット（登録商標）等）を処理する。
【００２０】
局データ記憶部１２には、ＩＰ電話端末３および無線ＩＰ電話端末４の呼制御を処理するために必要な局データが記憶されている。ここで、局データには、各端末３、４に割り当てられた電話番号（以下、端末番号と呼ぶ）、ＩＰアドレス（以下、端末アドレスと呼ぶ）等が含まれる。
【００２１】
トーキー記憶部１３には、「圏外」を含む、予め定められたプレゼンス毎に、プレゼンスを知らせるトーキー（プレゼンス通知用の固定音声データ）が記憶されている。
【００２２】
図３（Ａ）は、トーキー記憶部１３の登録内容例を模式的に表した図である。図示するように、トーキー記憶部１３には、予め定められたプレゼンス毎にレコード１３００が登録されている。レコード１３００は、プレゼンスの内容（圏外、不在、来客、会議、出張、休暇等）が登録されたフィールド１３０１と、このプレゼンスに割り当てられた識別コード（番号列）が登録されたフィールド１３０２と、このプレゼンスを知らせるためのトーキー（音声データ）が登録されたフィールド１３０３と、を有する。
【００２３】
音声メッセージ記憶部１４には、ＩＰ電話端末３または無線ＩＰ電話端末４のユーザから受け付けた音声メッセージ（プレゼンス通知用のユーザ設定音声データ）が記憶される。
【００２４】
図３（Ｂ）は、音声メッセージ記憶部１４の登録内容例を模式的に表した図である。図示するように、音声メッセージ記憶部１４にはレコード１４００が登録される。レコード１４００は、ＩＰ電話端末３または無線ＩＰ電話端末４の端末アドレスを登録するフィールド１４０１と、この端末アドレスを持つＩＰ電話端末３または無線ＩＰ電話端末４のユーザから受け付けた音声メッセージを登録するフィールド１４０２と、を有する。
【００２５】
圏内・圏外状態記憶部１５には、無線ＩＰ電話端末４毎に、対象の無線ＩＰ電話端末４が本主装置１の圏内に位置しているか、それとも圏外に位置しているかを示す圏内・圏外状態が記憶される。
【００２６】
図４（Ａ）は、圏内・圏外状態記憶部１５の登録内容例を模式的に表した図である。図示するように、圏内・圏外状態記憶部１５には、無線ＩＰ電話端末４毎にレコード１５００が登録されている。レコード１５００は、無線ＩＰ電話端末４の端末アドレスが登録されたフィールド１５０１と、この無線ＩＰ電話端末４の圏内・圏外状態を登録するフィールド１５０２と、を有する。
【００２７】
プレゼンス情報記憶部１６には、ＩＰ電話端末３または無線ＩＰ電話端末４のユーザから受け付けたプレゼンス情報が記憶される。
【００２８】
図４（Ｂ）は、プレゼンス情報記憶部１６の登録内容例を模式的に表した図である。図示するように、プレゼンス情報記憶部１６にはレコード１６００が登録される。レコード１６００は、プレゼンス情報登録要求元（ＩＰ電話端末３または無線ＩＰ電話端末４）の端末アドレスを登録するフィールド１６０１と、プレゼンス情報登録要求元のユーザから受け付けたプレゼンスの識別コードを登録するフィールド１６０２と、プレゼンス情報登録要求元のユーザからプレゼンスの終了時刻を受け付けた場合に、この終了時刻を登録するフィールド１６０３と、プレゼンス情報登録要求元が無線ＩＰ電話端末４である場合に、この無線ＩＰ電話端末４のユーザから受け付けた優先度を登録するフィールド１６０４と、を有する。ここで、優先度とは、無線ＩＰ電話端末４に対する呼の発信元に対して、この無線ＩＰ電話端末４のユーザから受け付けたプレゼンスの通知を圏内・圏外状態の通知よりも優先するか否かを特定する情報である。
【００２９】
呼制御部１７は、ＳＩＰ（Ｓｅｓｓｉｏｎ  Ｉｎｉｔｉａｔｉｏｎ  Ｐｒｏｔｏｃｏｌ）等の呼制御プロトコルに従い、局データ記憶部１２に記憶されている局データを用いて、ＩＰ電話端末３および無線ＩＰ電話端末４各々の呼制御を処理する。
【００３０】
自動応答部１８は、ＩＰ電話端末３または無線ＩＰ電話端末４を宛先とする呼の着信に対して、このＩＰ電話端末３または無線ＩＰ電話端末４が応答できない状態にある場合に、この着信に応答して、トーキー記憶部１３に記憶されているトーキー、あるいは音声メッセージ記憶部１４に記憶されている音声メッセージを、この呼の発信元に送信する。
【００３１】
プレゼンス管理部１９は、ＩＰ電話端末３および無線ＩＰ電話端末４各々のプレゼンスを管理する。図示するように、プレゼンス管理部１９は、要求受付部１９１と、イベント取得部１９２と、端末監視部１９３と、記憶制御部１９４と、を有する。
【００３２】
要求受付部１９１は、ＩＰ電話端末３または無線ＩＰ電話端末４から、プレゼンス情報の登録要求あるいは削除要求を受け付ける。
【００３３】
イベント取得部１９２は、スケジュール管理装置２から、開催中のイベントのイベント情報を取得する。なお、イベント情報には、スケジュール管理対象のＩＰ電話端末３または無線ＩＰ電話端末４（スケジュール管理対象端末）の端末アドレス、イベント開催中におけるスケジュール管理対象端末のプレゼンスの識別コード、イベントの終了時刻、およびプレゼンスの優先度（ただし、プレゼンスの優先度はスケジュール管理対象端末が無線ＩＰ電話端末４の場合のみ）が含まれる。
【００３４】
端末監視部１９３は、無線ＩＰ電話端末４各々の圏外・圏外状態を監視する。そして、その監視結果に従って圏内・圏外状態記憶部１５を更新する。
【００３５】
記憶制御部１９４は、要求受付部１９１で受け付けたプレゼンス情報の登録要求あるいは削除要求に従って、プレゼンス情報記憶部１６および音声メッセージ記憶部１４を更新する。また、イベント取得部１９２により取得したイベント情報に従ってプレゼンス情報記憶部１６を更新する。
【００３６】
図５は、図２に示す主装置１の圏内・圏外状態監視処理を説明するためのフロー図である。このフローは、例えば定期的に到来する圏内・圏外状態監視タイミングになると開始される。
【００３７】
端末監視部１９３は、圏内・圏外状態記憶部１５から未選択のレコード１５００を選択し（Ｓ１０１）、この選択したレコード１５００のフィールド１５０１に登録されている端末アドレスを宛先アドレスとする存続確認メッセージ（例えばＰＩＮＧ）を、ネットワークＩＦ部１１を介してＬＡＮ７に送出する（Ｓ１０２）。そして、所定時間、この存続確認メッセージに対する応答が届くのを待つ（Ｓ１０３）。
【００３８】
つぎに、端末監視部１９３は、所定時間内に、ネットワークＩＦ部１１を介してＬＡＮ７から、この存続確認メッセージに対する応答を受信したならば（Ｓ１０３でＹＥＳ）、選択したレコード１５００のフィールド１５０２に登録されている圏内・圏外状態を「圏内」に更新する（Ｓ１０４）。
【００３９】
一方、端末監視部１９３は、この存続確認メッセージに対する応答を所定時間内に受信しなかったならば（Ｓ１０３でＮＯ）、選択したレコード１５００のフィールド１５０２に登録されている圏内・圏外状態を「圏外」に更新する（Ｓ１０５）。
【００４０】
それから、端末監視部１９３は、圏内・圏外状態記憶部１５に未選択のレコード１５００が登録されているか否かを調べる（Ｓ１０６）。その結果、未選択のレコード１５００があるならば（Ｓ１０６でＹＥＳ）、Ｓ１０１に戻り、未選択のレコード１５００がないならば（Ｓ１０６でＮＯ）、このフローを終了する。
【００４１】
図６は、図２に示す主装置１のイベント情報取得処理を説明するためのフロー図である。このフローは、例えば定期的に到来するイベント情報取得タイミングになると開始される。
【００４２】
イベント取得部１９２は、スケジュール管理装置２から開催中のイベントのイベント情報を取得するため、ネットワークＩＦ部１１を介してスケジュール管理装置２にイベント情報送信要求を送信する（Ｓ１１１）。
【００４３】
つぎに、イベント取得部１９２は、ネットワークＩＦ部１１を介してスケジュール管理装置２から、イベント情報送信要求に対する応答を受信したならば、この応答にイベント情報が含まれているか否かを判断する（Ｓ１１２）。応答にイベント情報が含まれていないならば（Ｓ１１２でＮＯ）、このフローを終了する。
【００４４】
一方、応答にイベント情報が含まれているならば（Ｓ１１２でＹＥＳ）、イベント取得部１９２は、この応答に含まれているイベント情報のなかから未選択のイベント情報を選択し（Ｓ１１３）、このイベント情報を記憶制御部１９４に渡す。
【００４５】
これを受けて、記憶制御部１９４は、渡されたイベント情報に含まれている端末アドレスをキーにしてプレゼンス情報記憶部１６からレコード１６００を検索する（Ｓ１１４）。そして、プレゼンス情報記憶部１６からレコード１６００を検索できた場合（Ｓ１１５でＹＥＳ）、記憶制御部１９４は、このレコード１６００のフィールド１６０２〜１６０４の登録内容を、渡されたイベント情報に含まれているプレゼンスの識別コード、イベントの終了時刻（プレゼンスの終了時刻）、およびプレゼンスの優先度に更新する（Ｓ１１６）。ただし、渡されたイベント情報にプレゼンスの優先度が含まれていない場合は、フィールド１６０４を空欄とする。
【００４６】
一方、プレゼンス情報記憶部１６からレコード１６００を検索できなかった場合（Ｓ１１５でＮＯ）、記憶制御部１９４は、プレゼンス情報記憶部１６に新たなレコード１６００を追加し、このレコード１６００のフィールド１６０１〜１６０４に、渡されたイベント情報に含まれている端末アドレス、プレゼンスの識別コード、イベントの終了時刻（プレゼンスの終了時刻）、およびプレゼンスの優先度を登録する（Ｓ１１７）。ただし、選択したイベント情報にプレゼンスの優先度が含まれていない場合は、フィールド１６０４を空欄とする。
【００４７】
それから、イベント取得部１９２は、イベント情報送信要求に対する応答に未選択のイベント情報が含まれているか否かを判断する（Ｓ１１８）。未選択のイベント情報が含まれているならば（Ｓ１１８でＹＥＳ）、Ｓ１１３に戻り、未選択のイベント情報が含まれていないならば（Ｓ１１８でＮＯ）、このフローを終了する。
【００４８】
図７は、図２に示す主装置１のプレゼンス情報自動削除処理を説明するためのフロー図である。
【００４９】
記憶制御部１９４は、プレゼンス情報記憶部１６に記憶されているレコード１６００のなかから、フィールド１６０３に登録された終了時刻が到来または経過したレコード１６００を定期的に検索する（Ｓ１２１、Ｓ１２２）。そして、該当するレコード１６００を検索できたならば（Ｓ１２２でＹＥＳ）、このレコード１６００のフィールド１６０１に登録されている端末アドレスを取得し、その後、このレコード１６００をプレゼンス情報記憶部１６から削除する（Ｓ１２３）。
【００５０】
それから、記憶制御部１９４は、削除したレコード１６００のフィールド１６０１に登録されていた端末アドレスをキーにして、音声メッセージ記憶部１４からレコード１４００を検索する（Ｓ１２４）。そして、レコード１４００を検索できたならば（Ｓ１２５でＹＥＳ）、このレコード１４００を音声メッセージ記憶部１４から削除する（Ｓ１２６）。
【００５１】
つぎに、記憶制御部１９４は、要求受付部１９１に、削除したレコード１６００のフィールド１６０１に登録されていた端末アドレスを通知して削除報告を指示する。これを受けて、要求受付部１９１は、通知された端末アドレスを宛先とするプレゼンス情報削除報告メッセージを生成し、このプレゼンス情報削除報告メッセージをネットワークＩＦ部１１から送信する（Ｓ１２７）。
【００５２】
図８は、図２に示す主装置１の発信処理を説明するためのフロー図である。このフローは、呼制御部１７がネットワークＩＦ部１１を介してＩＰ電話端末３あるいは無線ＩＰ電話端末４（以下、発信元端末と呼ぶ）からダイヤル情報を受信することにより開始される。
【００５３】
まず、呼制御部１７は、発信元端末から受信したダイヤル情報が示す宛先番号が、本主装置１に割り当てられたプレゼンス管理用の所定の番号（以下、登録特番と呼ぶ）であるか否かを判断する（Ｓ１３１）。宛先番号が登録特番でない場合（Ｓ１３１でＮＯ）、呼制御部１７は、所定の呼制御手順に従って通常の発信処理を行う（Ｓ１４４）。
【００５４】
一方、宛先番号が登録特番である場合（Ｓ１３１でＹＥＳ）、呼制御部１７は、プレゼンス情報の受付けを要求受付部１９１に指示する。これを受けて、要求受付部１９１は、ネットワークＩＦ部１１を介して発信元端末に、プレゼンス情報の登録要求または削除要求の入力を促す音声ガイダンスを送出し、発信元端末から要求を受け付ける（Ｓ１３２）。
【００５５】
つぎに、要求受付部１９１は、発信元端末から受け付けた要求がプレゼンス情報の削除要求であるならば（Ｓ１３３で「削除」）、記憶制御部１９４に、発信元端末の端末アドレスを通知してプレゼンス情報の削除を指示する。これを受けて、記憶制御部１９４は、発信元端末の端末アドレスをキーにして、プレゼンス情報記憶部１６からレコード１６００を検索し、このレコード１６００を削除する。同様に、発信元端末の端末アドレスをキーにして音声メッセージ記憶部１４からレコード１４００を検索し、レコード１４００を検索できたならばこれを削除する（Ｓ１３４）。
【００５６】
一方、要求受付部１９１は、発信元端末から受け付けた要求がプレゼンス情報の登録要求であるならば（Ｓ１３３で「登録」）、記憶制御部１９４に、発信元端末の端末アドレスを通知してプレゼンス情報の検索を指示する。これを受けて、記憶制御部１９４は、発信元端末の端末アドレスをキーにして、プレゼンス情報記憶部１６からレコード１６００を検索し、その検索結果を要求受付部１９１に通知する（Ｓ１３５）。
【００５７】
記憶制御部１９４が発信元端末の端末アドレスをキーにしてプレゼンス情報記憶部１６からレコード１６００を検索できなかった場合（Ｓ１３６でＮＯ）、要求受付部１９１は、ネットワークＩＦ部１１を介して発信元端末に、プレゼンス情報の入力を促す音声ガイダンスを送信し、発信元端末からプレゼンス情報を受け付けると、このプレゼンス情報を記憶制御部１９４に通知する。これを受けて、記憶制御部１９４は、プレゼンス情報記憶部１６に新たなレコード１６００を追加し、このレコード１６００のフィールド１６０１に発信元端末の端末アドレスを登録するとともに、フィールド１６０２〜１６０４に、プレゼンス情報に含まれているプレゼンスの識別コード、プレゼンスの終了時刻、およびプレゼンスの優先度を登録する（Ｓ１３７）。ただし、プレゼンス情報にプレゼンスの終了時刻、優先度が含まれていない場合は、フィールド１６０３、１６０４を空欄とする。
【００５８】
一方、記憶制御部１９４が発信元端末の端末アドレスをキーにしてプレゼンス情報記憶部１６からレコード１６００を検索できた場合（Ｓ１３６でＹＥＳ）、要求受付部１９１は、ネットワークＩＦ部１１を介して発信元端末に、プレゼンス情報が登録済みであることを通知して、プレゼンス情報の更新確認を問い合わせる（Ｓ１３８）。そして、発信元端末から受け付けた、問合せに対する応答が「更新中止」であるならば（Ｓ１３９でＮＯ）、発信元端末からプレゼンス情報を受け付けることなく、このフローを終了する。
【００５９】
一方、発信元端末から受け付けた、問合せに対する応答が「更新実行」であるならば（Ｓ１３９でＹＥＳ）、要求受付部１９１は、ネットワークＩＦ部１１を介して発信元端末からプレゼンス情報を受け付け、このプレゼンス情報を記憶制御部１９４に通知する。これを受けて、記憶制御部１９４は、Ｓ１３５でプレゼンス情報記憶部１６から検索したレコード１６００のフィールド１６０２〜１６０４の登録内容を、プレゼンス情報に含まれているプレゼンスの識別コード、プレゼンスの終了時刻、およびプレゼンスの優先度に更新する（Ｓ１４０）。ただし、プレゼンス情報に、プレゼンスの終了時刻、優先度が含まれていない場合は、フィールド１６０３、１６０４を空欄とする。
【００６０】
このようにして、Ｓ１３７で新たなプレゼンス情報がプレゼンス情報記憶部１６に登録された場合、または、Ｓ１４０でプレゼンス情報記憶部１６の既登録プレゼンス情報が更新された場合、要求受付部１９１は、ネットワークＩＦ部１１を介して発信元端末に、音声メッセージの登録を行うか否かの確認を問い合わせる（Ｓ１４１）。そして、発信元端末から受け付けた、問合せに対する応答が「音声メッセージなし」であるならば（Ｓ１４２でＮＯ）、発信元端末から音声メッセージを受け付けることなく、このフローを終了する。
【００６１】
一方、発信元端末から受け付けた、問合せに対する応答が「音声メッセージあり」であるならば（Ｓ１４２でＹＥＳ）、要求受付部１９１は、ネットワークＩＦ部１１を介して発信元端末から音声メッセージを受け付け、この音声メッセージを記憶制御部１９４に通知する。これを受けて、記憶制御部１９４は、発信元端末の端末アドレスをキーにして音声メッセージ記憶部１４からレコード１４００を検索する。そして、レコード１４００を検索できた場合は、このレコード１４００のフィールド１４０２の登録内容を、要求受付部１９１から受け付けた音声メッセージに更新する。レコード１４００を検索できなかった場合は、音声メッセージ記憶部１４に新たなレコード１４００を追加し、このレコード１４００のフィールド１４０１、１４０２に、発信元端末の端末アドレス、要求受付部１９１から受け付けた音声メッセージを登録する（Ｓ１４３）。
【００６２】
図９は、図２に示す主装置１の着信処理を説明するためのフロー図である。このフローは、ＩＰ電話端末３あるいは無線ＩＰ電話端末４の電話番号（端末番号）を宛先番号とする呼がネットワークＩＦ部１１を介して呼制御部１７に着信することにより開始される。
【００６３】
呼制御部１７は、局データ記憶部１２を参照して、呼の宛先番号に対応する端末アドレスを特定し、この端末アドレスを自動応答部１８に通知する（Ｓ１５１）。これを受けて、自動応答部１８は、呼制御部１７から受け取った端末アドレスをキーにしてプレゼンス情報記憶部１６からレコード１６００を検索する（Ｓ１５２）。
【００６４】
呼制御部１７から受け取った端末アドレスをキーにプレゼンス情報記憶部１６からレコード１６００を検索できた場合（Ｓ１５３でＹＥＳ）、自動応答部１８は、このレコード１６００のフィールド１６０４に登録されているプレゼンスの優先度が「優先する」であるならば（Ｓ１５４でＹＥＳ）、呼制御部１７から受け取った端末アドレスをキーにして音声メッセージ記憶部１４からレコード１４００をさらに検索する（Ｓ１５５）。そして、自動応答部１８は、該当するレコード１４００を音声メッセージ記憶部１４から検索できたならば（Ｓ１５６でＹＥＳ）、呼制御部１７と連携して、着信した呼に自動応答し、この呼の発信元に、このレコード１４００のフィールド１４０２に登録されている音声メッセージの再生信号を送信する（Ｓ１５７）。その後、呼制御部１７は、所定の呼制御手順に従って通常の呼制御処理を行う。
【００６５】
また、自動応答部１８は、該当するレコード１４００を音声メッセージ記憶部１４から検索できなかったならば（Ｓ１５６でＮＯ）、プレゼンス情報記憶部１６から検索したレコード１６００のフィールド１６０２に登録されている識別コードをキーにしてトーキー記憶部１３からレコード１３００を検索する（Ｓ１５８）。そして、自動応答部１８は、呼制御部１７と連携し、着信した呼に自動応答して、この呼の発信元に、トーキー記憶部１３から検索したレコード１３００のフィールド１３０３に登録されているトーキーの再生信号を送信する（Ｓ１５９）。その後、呼制御部１７は、所定の呼制御手順に従って通常の呼制御処理を行う。
【００６６】
一方、呼制御部１７から受け取った端末アドレスをキーにプレゼンス情報記憶部１６からレコード１６００を検索できなかった場合（Ｓ１５３でＮＯ）、または、この端末アドレスをキーにプレゼンス情報記憶部１６から検索したレコード１６００のフィールド１６０４に登録されているプレゼンスの優先度が「優先しない」あるいは空欄である場合（Ｓ１５４でＮＯ）、自動応答部１８は、呼制御部１７から受け取った端末アドレスをキーにして圏内・圏外状態記憶部１５からレコード１５００を検索する（Ｓ１６０）。
【００６７】
呼制御部１７から受け取った端末アドレスをキーに圏内・圏外状態記憶部１５からレコード１５００を検索できた場合（Ｓ１６１でＹＥＳ）、自動応答部１８は、このレコード１５００のフィールド１５０２に登録されている圏内・圏外状態が「圏外」であるならば（Ｓ１６２でＹＥＳ）、プレゼンス「圏外」に割り当てられている識別コードをキーにしてトーキー記憶部１３からレコード１３００を検索する（Ｓ１６３）。そして、自動応答部１８は、呼制御部１７と連携し、着信した呼に自動応答して、この呼の発信元に、トーキー記憶部１３から検索したレコード１３００のフィールド１３０３に登録されているトーキーの再生信号を送信する（Ｓ１５９）。その後、呼制御部１７は、所定の呼制御手順に従って通常の呼制御処理を行う。
【００６８】
一方、呼制御部１７から受け取った端末アドレスをキーに圏内・圏外状態記憶部１５からレコード１５００を検索できなかった場合（Ｓ１６１でＮＯ）、あるいは、この端末アドレスをキーに圏内・圏外状態記憶部１５から検索したレコード１５００のフィールド１５０２に登録されている圏内・圏外状態が「圏内」である場合（Ｓ１６２でＮＯ）、自動応答部１８は、Ｓ１５３での結果が「ＹＥＳ」、すなわち、呼の宛先が、プレゼンス情報登録済みＩＰ電話端末３、または、ユーザ指定のプレゼンスを優先しない圏内のプレゼンス情報登録済み無線ＩＰ電話端末４であるならば（Ｓ１６４でＹＥＳ）、Ｓ１５５に戻って処理を続ける。また、Ｓ１５３での結果が「ＮＯ」、すなわち、呼の宛先が、プレゼンス情報未登録ＩＰ電話端末３または圏内のプレゼンス情報未登録無線ＩＰ電話端末４であるならば（Ｓ１６４でＮＯ）、呼制御部１７に通常処理を指示する。これを受けて、呼制御部１７は、所定の呼制御手順に従って着信処理を行い、ネットワークＩＦ部１１を介して、呼の宛先番号に対応する端末アドレスを持つＩＰ電話端末３あるいは無線ＩＰ電話端末４を呼び出す（Ｓ１６５）。
【００６９】
つぎに、スケジュール管理装置２の詳細を説明する。
【００７０】
図１０は、スケジュール管理装置２の概略構成図である。
【００７１】
図示するように、スケジュール管理装置２は、ネットワークＩＦ部２１と、スケジュール情報記憶部２２と、スケジュール情報受付部２３と、イベント情報検索部２４と、イベント情報送信要求受付部２５と、を有する。
【００７２】
ネットワークＩＦ部２１は、ＬＡＮ７を介して、主装置１、ＩＰ電話端末３、無線ＩＰ電話端末４等のＩＰ端末に接続するためのインターフェースであり、トランスポート層以下の各層のプロトコル（ＴＣＰ、ＵＤＰ、ＩＰ、イーサネット（登録商標）等）を処理する。
【００７３】
スケジュール情報記憶部２２には、ＩＰ電話端末３および無線ＩＰ電話端末４各々のスケジュール情報が記憶されている。
【００７４】
図１１は、スケジュール情報記憶部２２の登録内容例を模式的に表した図である。図示するように、スケジュール情報記憶部２２には、ＩＰ電話端末３あるいは無線ＩＰ電話端末４（スケジュール管理対象端末）の端末アドレス毎に、計画されているイベント単位でスケジュール情報が登録されるテーブル２２０が記憶されている。テーブル２２０には、イベント毎にレコード２２００が登録される。レコード２２００は、イベント開始日時を登録するフィールド２２０１と、イベント終了日時を登録するフィールド２２０２と、イベント開催中におけるスケジュール管理対象端末のプレゼンスの識別コードを登録するフィールド２２０３と、スケジュール管理対象端末が無線ＩＰ電話端末４である場合にプレゼンスの優先度を登録するフィールド２２０４と、主装置１へのイベント情報の送信状況を登録するフィールド２２０５と、を有する。
【００７５】
スケジュール情報受付部２３は、ＩＰ電話端末３あるいは無線ＩＰ電話端末４から、イベントの開始日時・終了日時、プレゼンスの識別コードおよびプレゼンスの優先度（優先度は無線ＩＰ電話端末４の場合のみ）をイベント単位で受け付けて、このＩＰ電話端末３あるいは無線ＩＰ電話端末４の端末アドレスに対応付けられてスケジュール情報記憶部２２に記憶されたテーブル２２０にスケジュール情報を登録する。
【００７６】
なお、ＩＰ電話端末３および無線ＩＰ電話端末４が、Ｗｅｂブラウザ端末、あるいはＦＴＰ（Ｆｉｌｅ  Ｔｒａｎｓｆｅｒ  Ｐｒｏｔｏｃｏｌ）クライアントとしての機能を備えている場合、スケジュール情報受付部２３には、ＣＧＩ（Ｃｏｍｍｏｎ  Ｇａｔｅｗａｙ  Ｉｎｔｅｒｆａｃｅ）機能を備えたＷｅｂサーバ、ＦＴＰサーバを利用できる。
【００７７】
イベント情報検索部２４は、イベント情報送信要求受付部２５の指示に従い、スケジュール情報記憶部２２に記憶されている各テーブル２２０から、フィールド２２０１に登録されたイベント開始日時が到来または経過し、かつフィールド２２０５に登録された送信状況が「未送信」のレコード２２００を検索する。そして、検索したレコード２２００のフィールド２２０５に登録されている送信状況を「送信済」に変更するとともに、このレコード２２００のフィールド２２０２〜２２０４に登録されたイベント終了日時、プレゼンスの識別コード、およびプレゼンスの優先度を含むイベント情報をイベント情報送信要求受付部２５に通知する。
【００７８】
イベント情報送信要求受付部２５は、ネットワークＩＦ部２１を介して主装置１からイベント情報送信要求を受け付けると、イベント情報検索部２４に、開催中のイベントの検索を指示する。そして、イベント情報検索部２４から受け取ったイベント情報を、ネットワークＩＦ部２１を介して主装置１に送信する。
【００７９】
図１２は、図１０に示すスケジュール管理装置２の動作を説明するためのフロー図である。
【００８０】
スケジュール情報受付部２３は、ネットワークＩＦ部２１を介して、ＩＰ電話端末３あるいは無線ＩＰ電話端末４（以下、要求元端末と呼ぶ）からスケジュール情報登録要求を受け付けると（Ｓ２０１でＹＥＳ）、要求元端末から、イベント開始日時、イベント終了日時、プレゼンスの識別コードおよびプレゼンスの優先度（要求元端末が無線ＩＰ電話端末４の場合のみ）をイベント単位で受け付ける（Ｓ２０２）。それから、スケジュール情報受付部２３は、要求元端末の端末アドレスに対応付けられてスケジュール情報記憶部２２に記憶されたテーブル２２０を検索して、このテーブル２２０に新たなレコード２２００を追加し、このレコード２２００のフィールド２２０１〜２２０５に、受け付けた情報および送信状況「未送信」を登録する（Ｓ２０３）。
【００８１】
また、イベント情報送信要求受付部２５は、ネットワークＩＦ部２１を介して主装置１からイベント情報送信要求を受け付けると（Ｓ２０４でＹＥＳ）、イベント情報検索部２４に開催中のイベントの検索を指示する。これを受けて、イベント情報検索部２４は、スケジュール情報記憶部２２に記憶されている各テーブル２２０から、フィールド２２０１に登録されたイベント開始日時が到来または経過し、かつフィールド２２０５に登録された送信状況が「未送信」のレコード２２００を検索する（Ｓ２０５）。
【００８２】
フィールド２２０１に登録されているイベント開始日時が到来または経過し、かつフィールド２２０５に登録された送信状況が「未送信」のレコード２２００を検索できなかった場合（Ｓ２０６でＮＯ）、イベント情報検索部２４は、その旨をイベント情報送信要求受付部２５に通知する。これを受けて、イベント情報送信要求受付部２５は、該当するイベント情報がない旨のメッセージを含む応答を、ネットワークＩＦ部２１を介して主装置１に送信する（Ｓ２０７）。
【００８３】
一方、フィールド２２０１に登録されたイベント開始日時が到来または経過し、かつフィールド２２０５に登録された送信状況が「未送信」のレコード２２００を検索できた場合（Ｓ２０６でＹＥＳ）、イベント情報検索部２４は、検索したレコード２２００のフィールド２２０５に登録されている送信状況を「送信済」に変更するとともに（Ｓ２０８）、レコード２２００を検索したテーブル２２０に対応付けられた端末アドレス、フィールド２２０２〜２２０４に登録されているイベント終了日時、プレゼンスの識別コード、およびプレゼンスの優先度を含むイベント情報を、イベント情報送信要求受付部２５に通知する。これを受けて、イベント情報送信要求受付部２５は、イベント情報検索部２４から受け取ったイベント情報を含む応答を、ネットワークＩＦ部２１を介して主装置１に送信する（Ｓ２０９）。
【００８４】
つぎに、本実施の形態に係るＩＰ電話システム動作例を説明する。
【００８５】
図１３（Ａ）は、プレゼンス情報を登録する場合のＩＰ電話システムの動作を説明するためのシーケンス図である。ここでは、無線ＩＰ電話端末４のプレゼンス情報が登録される場合を例示している。
【００８６】
無線ＩＰ電話端末４は、ユーザによりオフフックされると、無線ＡＰ５を介して主装置１にオフフック信号を送信する（Ｓ３０１）。ついで、無線ＩＰ電話端末４は、無線ＡＰ５を介して主装置１に、ユーザによりダイヤルされた登録特番を示すダイヤル情報を送信する（Ｓ３０２）。
【００８７】
主装置１は、無線ＡＰ５を介して無線ＩＰ電話端末４から、オフフック信号、登録特番を示すダイヤル情報を受信すると、この無線ＩＰ電話端末４との間にセッションを確立し、このセッションを介して無線ＩＰ電話端末４に音声ガイダンスを送信し、無線ＩＰ電話端末４のユーザにプレゼンス情報の登録要求または削除要求の入力を促す（Ｓ３０３）。
【００８８】
ここで、無線ＩＰ電話端末４のユーザにより、登録要求に対応する番号がダイヤルされ、セッションを介して無線ＩＰ電話端末４から主装置１に、登録要求を示すダイヤル情報が伝送されたものとする（Ｓ３０４）。これを受けて、主装置１は、セッションを介して無線ＩＰ電話端末４に音声ガイダンスを送信して、無線ＩＰ電話端末４のユーザにプレゼンス情報の入力を促す（Ｓ３０５）。
【００８９】
つぎに、無線ＩＰ電話端末４は、セッションを介して主装置１に、ユーザによりダイヤルされたプレゼンスの識別コード、終了時刻、および優先度を示すダイヤル情報を送信する（Ｓ３０６）。これを受けて、主装置１は、無線ＩＰ電話端末４より受け付けたダイヤル情報が示す識別コード、終了時刻、および優先度と、無線ＩＰ電話端末４の端末アドレスと、を含むプレゼンス情報を登録する（Ｓ３０７）。
【００９０】
図１３（Ｂ）は、プレゼンス情報を削除する場合のＩＰ電話システムの動作を説明するためのシーケンス図である。ここでは、無線ＩＰ電話端末４のプレゼンス情報が削除される場合を例示している。
【００９１】
無線ＩＰ電話端末４は、ユーザによりオフフックされると、無線ＡＰ５を介して主装置１にオフフック信号を送信する（Ｓ３１１）。ついで、無線ＩＰ電話端末４は、無線ＡＰ５を介して主装置１に、ユーザによりダイヤルされた登録特番を示すダイヤル情報を送信する（Ｓ３１２）。
【００９２】
主装置１は、無線ＡＰ５を介して無線ＩＰ電話端末４から、オフフック信号、登録特番を示すダイヤル情報を受信すると、この無線ＩＰ電話端末４との間にセッションを確立し、このセッションを介して無線ＩＰ電話端末４に音声ガイダンスを送信し、無線ＩＰ電話端末４のユーザにプレゼンス情報の登録要求または削除要求の入力を促す（Ｓ３１３）。
【００９３】
ここで、無線ＩＰ電話端末４のユーザにより、削除要求に対応する番号がダイヤルされ、セッションを介して無線ＩＰ電話端末４から主装置１に、削除要求を示すダイヤル情報が伝送されたものとする（Ｓ３１４）。これを受けて、主装置１は、無線ＩＰ電話端末４の端末アドレスを含むプレゼンス情報を削除する（Ｓ３１５）。
【００９４】
図１４（Ａ）は、プレゼンス情報を自動削除する場合のＩＰ電話システムの動作を説明するためのシーケンス図である。ここでは、無線ＩＰ電話端末４のプレゼンス情報が自動削除される場合を例示している。
【００９５】
主装置１は、各プレゼンス情報の終了時刻を監視し、終了時刻が到来または経過したプレゼンス情報があるならば（Ｓ３２１）、このプレゼンス情報を削除するとともに（Ｓ３２２）、このプレゼンス情報に含まれている端末アドレスへプレゼンス情報削除報告メッセージを送信する（Ｓ３２３）。
【００９６】
図１４（Ｂ）は、イベント情報に基づいてプレゼンス情報を更新する場合のＩＰ電話システムの動作を説明するためのシーケンス図である。
【００９７】
主装置１は、定期的に到来する所定のイベント情報取得タイミングになると、スケジュール管理装置２にイベント情報送信要求を送信する（Ｓ３３１）。これを受けて、スケジュール管理装置２は、開始時刻が到来または経過しており、かつ未送信のイベント情報を検索する（Ｓ３３２）。そして、このようなイベント情報があるならば、それを主装置１に送信する（Ｓ３３３）。主装置１は、スケジュール管理装置２から受け取ったイベント情報に含まれている端末アドレス、イベントの終了時刻、プレゼンスの識別コード、およびプレゼンスの優先度を含むプレゼンス情報を生成して登録する（Ｓ３３４）。
【００９８】
図１４（Ｃ）は、各無線ＩＰ電話端末４の圏内・圏外状態を確認する場合のＩＰ電話システムの動作を説明するためのシーケンス図である。
【００９９】
主装置１は、定期的に到来する所定の圏内・圏外状態監視タイミングになると、無線ＡＰ５を介して無線ＩＰ電話端末４各々に存続確認メッセージを送信する（Ｓ３４１）。この存続確認メッセージを受信した無線ＩＰ電話端末４は、主装置１に応答を返信する（Ｓ３４２）。主装置１は、各無線ＩＰ電話端末４からの応答の有無に基づいて各無線ＩＰ電話端末４の圏内・圏外状態を更新する（Ｓ３４３）。
【０１００】
図１５（Ａ）は、外線からの着信に対して自動応答する場合のＩＰ電話システムの動作を説明するためのシーケンス図である。
【０１０１】
主装置１は、ＧＷ６を介してＷＡＮ８から、ＩＰ電話端末３または無線ＩＰ電話端末４を宛先とする接続要求を受信すると（Ｓ３５１）、この宛先のプレゼンス情報が登録されているか否か、およびこの宛先が無線ＩＰ電話端末４であるならば、その圏内・圏外状態を確認する。そして、「宛先のプレゼンス情報が登録されている」、および「宛先が無線ＩＰ電話端末４であり、かつその圏内・圏外状態が圏外である」の少なくとも一方に該当する場合、主装置１はこの接続要求に自動応答し（Ｓ３５２）、接続要求の送信元に接続確認を返信する（Ｓ３５３）。これにより、主装置１と接続要求の送信元との間にセッションを確立する。
【０１０２】
つぎに、主装置１は、宛先に対応する音声メッセージまたは適当なトーキーを再生する（Ｓ３５４）。具体的には、「宛先のプレゼンス情報が登録されている」のみに該当する場合、宛先に対応付けられた音声メッセージが登録されているならば、この音声メッセージを再生し、そのような音声メッセージが登録されていないならば、プレゼンス情報に含まれている識別コードに対応するトーキーを再生する。また、「宛先が無線ＩＰ電話端末４であり、かつその圏内・圏外状態が圏外である」のみに該当する場合、プレゼンス「圏外」の識別コードに対応するトーキーを再生する。そして、「宛先のプレゼンス情報が登録されている」および「宛先が無線ＩＰ電話端末４であり、かつその圏内・圏外状態が圏外である」の両方に該当する場合、プレゼンス情報に含まれているプレゼンスの優先度が「優先する」ならば、「宛先のプレゼンス情報が登録されている」のみに該当する場合と同様の要領により音声メッセージまたはトーキーを再生する。一方、プレゼンス情報に含まれているプレゼンスの優先度が「優先しない」ならば、「宛先が無線ＩＰ電話端末４であり、かつその圏内・圏外状態が圏外である」のみに該当する場合と同様の要領によりトーキーを再生する。
【０１０３】
それから、主装置１は、セッションを介して接続要求の送信元に、再生した音声メッセージまたはトーキーを送信する（Ｓ３５５）。
【０１０４】
図１５（Ｂ）は、スケジュール情報を登録する場合のＩＰ電話システムの動作を説明するためのシーケンス図である。ここでは、無線ＩＰ電話端末４のスケジュール情報が登録される場合を例示している。
【０１０５】
スケジュール管理装置２は、無線ＡＰ５を介して無線ＩＰ電話端末４からスケジュール情報登録要求を受信すると（Ｓ３１１）、この無線ＩＰ電話端末４に例えば入力フォームを送信し、この入力フォームを介して、無線ＩＰ電話端末４からスケジュール情報をイベント単位で受け付ける（Ｓ３１３）。そして、受け付けたスケジュール情報を、この無線ＩＰ電話端末４に対応付けて登録する（Ｓ３１４）。
【０１０６】
以上、本発明の一実施の形態を説明した。
【０１０７】
本実施の形態のＩＰ電話システムにおいて、主装置１は、配下のＩＰ電話端末３あるいは無線ＩＰ電話端末４から、プレゼンス情報の登録要求あるいは削除要求を受け付けることができる。そして、主装置１は、プレゼンス情報の登録要求を受け付けたならば、登録要求元のＩＰ電話端末３あるいは無線ＩＰ電話端末４に対応付けてこのプレゼンス情報を登録し、削除要求を受け付けたならば、削除要求元のＩＰ電話端末３あるいは無線ＩＰ電話端末４に対応付けられて登録されているプレゼンス情報を削除する。
【０１０８】
また、主装置１は、配下のＩＰ電話端末３あるいは無線ＩＰ電話端末４を宛先とする呼の着信があった場合に、宛先のＩＰ電話端末３あるいは無線ＩＰ電話端末４が応答できない状態にあるならば、呼の着信に自動応答して、宛先のＩＰ電話端末３あるいは無線ＩＰ電話端末４のプレゼンスを知らせるトーキーを呼の発信元に送信する。
【０１０９】
ここで、宛先が無線ＩＰ電話端末４である場合、この無線ＩＰ電話端末４に対応するプレゼンス情報が登録されており、かつこのプレゼンス情報に含まれているプレゼンスの優先度が「優先する」である場合、このプレゼンス情報に含まれているプレゼンスの識別コードに対応するトーキーを送信する。
【０１１０】
また、この無線ＩＰ電話端末４に対応するプレゼンス情報が登録されており、かつこのプレゼンス情報に含まれているプレゼンスの優先度が「優先しない」である場合、この無線ＩＰ電話端末４の圏内・圏外状態が「圏内」ならば、このプレゼンス情報に含まれているプレゼンスの識別コードに対応するトーキーを送信し、「圏外」ならば、「圏外」の識別コードに対応するトーキーを送信する。
【０１１１】
また、この無線ＩＰ電話端末４に対応するプレゼンス情報が登録されておらず、かつこの無線ＩＰ電話端末４の圏内・圏外状態が「圏外」の場合、プレゼンス「圏外」の識別コードに対応するトーキーを送信する。
【０１１２】
このように、本実施の形態によれば、応答できない状態にあるＩＰ電話端末３あるいは無線ＩＰ電話端末４に対する呼が着信した場合に、このＩＰ電話端末３あるいは無線ＩＰ電話端末４の状態を、所定のプレゼンス毎に予め用意されたトーキーを用いてより詳細に、呼の発信元に知らせることができる。
【０１１３】
また、本実施の形態のＩＰ電話システムにおいて、主装置１は、終了時刻が到来または経過したプレゼンス情報を自動的に削除して、その報告を、このプレゼンス情報に含まれている端末アドレスにより特定されるＩＰ電話端末３あるいは無線ＩＰ電話端末４に送信する。
【０１１４】
したがって、本実施の形態によれば、ＩＰ電話端末３および無線ＩＰ電話端末４のユーザは、プレゼンスが終了するたびに、該当するプレゼンス情報を主装置１から削除する必要がないため、ＩＰ電話端末３および無線ＩＰ電話端末４の使い勝手が向上する。また、ＩＰ電話端末３あるいは無線ＩＰ電話端末４のユーザが、主装置１に登録したプレゼンス情報の削除を忘れて、このＩＰ電話端末３あるいは無線ＩＰ電話端末４に着信が届かない事態が発生することを防止できる。
【０１１５】
また、本実施の形態のＩＰ電話システムにおいて、主装置１は、配下のＩＰ電話端末３あるいは無線ＩＰ電話端末４からプレゼンス情報登録要求とともに音声メッセージを受け付けて、この音声メッセージをプレゼンス情報登録要求送信元のＩＰ電話端末３あるいは無線ＩＰ電話端末４に対応付けて登録することができる。そして、主装置１は、ＩＰ電話端末３あるいは無線ＩＰ電話端末４を宛先とする呼に自動応答する場合に、宛先のＩＰ電話端末３あるいは無線ＩＰ電話端末４に対応付けられた音声メッセージが登録されているならば、宛先のＩＰ電話端末３あるいは無線ＩＰ電話端末４のプレゼンス情報に含まれた識別トーキーに対応するトーキーに代えて、この音声メッセージを送信する。
【０１１６】
したがって、本実施の形態によれば、応答できない状態にあるＩＰ電話端末３あるいは無線ＩＰ電話端末４に対する呼が着信した場合に、このＩＰ電話端末３あるいは無線ＩＰ電話端末４の状態を、このＩＰ電話端末３あるいは無線ＩＰ電話端末４のユーザにより登録された音声メッセージを用いてより詳細に、呼の発信元に知らせることができる。
【０１１７】
また、本実施の形態のＩＰ電話システムにおいて、スケジュール管理装置２は、主装置１の配下のＩＰ電話端末３および無線ＩＰ電話端末４各々のスケジュール情報をイベント単位で管理し、開始時刻が到来または経過したイベントであって、かつイベント情報を未送信のイベントがあるならば、このイベントのイベント情報を主装置１に送信する。主装置１は、スケジュール管理装置２からイベント情報を受け取ったならば、このイベント情報に含まれている端末アドレス、イベントの終了時刻、プレゼンスの識別コード、およびプレゼンスの優先度を含むプレゼンス情報を生成して登録する。
【０１１８】
したがって、本実施の形態によれば、スケジュール管理装置２にスケジュール情報を登録しておくことにより、主装置１にプレゼンス情報が自動的に登録される。このため、ＩＰ電話端末３および無線ＩＰ電話端末４のユーザは、その都度、主装置１にプレゼンス情報を登録する必要がなくなり、使い勝手が向上する。
【０１１９】
なお、本発明は上記の実施の形態に限定されるものではなく、その要旨の範囲内で数々の変形が可能である。
【０１２０】
例えば、上記実施の形態では、主装置１がスケジュール管理装置２に、定期的にイベント情報送信要求を送信し、これを受けて、スケジュール管理装置２が、開始時刻が到来または経過したイベントであって、かつイベント情報を未送信のイベントを検索し、検索したイベントのイベント情報を主装置１に送信している。しかし、本発明はこれに限定されない。スケジュール管理装置２が、開始時刻が到来または経過したイベントであって、かつイベント情報を未送信のイベントを常時監視し、このようなイベントが出現したならば、これを主装置１に送信するようにしてもよい。
【０１２１】
また、上記実施の形態において、主装置１は、ＩＰ電話端末３あるいは無線ＩＰ電話端末４からプレゼンス情報登録要求とともに音声メッセージを受け付ける場合、このＩＰ電話端末３あるいは無線ＩＰ電話端末４から受け付けるプレゼンス情報にプレゼンスの識別コードを含めなくてよい。
【０１２２】
また、上記実施の形態において、図２に示す主装置１、および図１０に示すスケジュール管理装置２の機能は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。
【０１２３】
または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェース（会議端末２は、これらに加えてキーボード、マウス等の入力装置）を備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【０１２４】
また、上記実施の形態において、主装置１とスケジュール管理装置２とを一体化してもよい。
【０１２５】
また、上記実施の形態では、本発明をＩＰ電話システムに適用した場合を例にとり説明したが、本発明は、ＰＨＳ、携帯電話機といった無線電話端末、あるいは、これらの無線電話端末と、アナログ電話機等の固定電話端末と、を配下とする電話システムに広く適用可能である。
【符号の説明】
【０１２６】
１：主装置、２：スケジュール管理装置、３：ＩＰ電話端末、４：無線ＩＰ電話端末、５：無線ＡＰ、６：ＧＷ、７：ＬＡＮ、８：ＷＡＮ、１１：ネットワークＩＦ部、１２：局データ記憶部、１３：トーキー記憶部、１４：音声メッセージ記憶部、１５：圏内・圏外状態記憶部、１６：プレゼンス情報記憶部、１７：呼制御部、１８：自動応答部、１９：プレゼンス管理部、２１：ネットワークＩＦ部、２２：スケジュール情報記憶部、２３：スケジュール情報受付部、２４：イベント情報検索部、２５：イベント情報送信要求受付部、１９１：要求受付部、１９２：イベント取得部、１９３：端末監視部、１９４：記憶制御部
【図１】
2011003942.tif 000003
【図２】
2011003942.tif 000004
【図３】
2011003942.tif 000005
【図４】
2011003942.tif 000006
【図５】
2011003942.tif 000007
【図６】
2011003942.tif 000008
【図７】
2011003942.tif 000009
【図８】
2011003942.tif 000010
【図９】
2011003942.tif 000011
【図１０】
2011003942.tif 000012
【図１１】
2011003942.tif 000013
【図１２】
2011003942.tif 000014
【図１３】
2011003942.tif 000015
【図１４】
2011003942.tif 000016
【図１５】
2011003942.tif 000017